(57)【特許請求の範囲】
【請求項１】
レーザ光を励起光として放射する励起光源と、当該励起光源からのレーザ光を受けてレーザ光入射側に蛍光を発する蛍光体と、当該蛍光体から放射された蛍光を反射する凹面反射鏡と、当該凹面反射鏡で反射された光を透過する窓部材とを具備した蛍光光源装置において、
前記レーザ光に青色光を混合する青色混合機構を備えており、前記凹面反射鏡および前記窓部材の少なくとも一方が前記レーザ光の波長領域の光を遮断する光遮断特性を有し、前記蛍光体の励起光入射面が、前記レーザ光に混合される青色光を反射すると共に拡散する特性を有することを特徴とする蛍光光源装置。
【請求項２】
前記蛍光体の励起光入射側に、前記レーザ光に混合される青色光を反射するレーザ光透過性フィルタが設けられ、且つ、当該レーザ光透過性フィルタと前記凹面反射鏡との間に前記レーザ光に混合される青色光を拡散する青色光拡散部材が設けられていることを特徴とする請求項１に記載の蛍光光源装置。
【請求項３】
前記窓部材は、前記レーザ光の波長領域の光を遮断する光遮断特性を有する光学膜を有することを特徴とする請求項１または請求項２に記載の蛍光光源装置。
【請求項４】
前記凹面反射鏡は、前記レーザ光の波長領域の光を遮断する光遮断特性を有する光学膜を有することを特徴とする請求項１乃至請求項３のいずれかに記載の蛍光光源装置。
【請求項５】
請求項１乃至請求項４のいずれかに記載の蛍光光源装置を備えてなることを特徴とする照明装置。
【発明の詳細な説明】
【技術分野】
【０００１】
本発明は、レーザ光で蛍光体を励起させて蛍光を取り出す蛍光光源装置および当該蛍光光源装置を備えてなる照明装置に関する。
【背景技術】
【０００２】
現在、例えば照明用の光源として蛍光光源装置を利用する技術が知られている。蛍光光源装置は、例えば半導体レーザなどの固体光源の光によって蛍光体を励起させて当該蛍光体から発せられる光を出射するものである。
【０００３】
このような蛍光光源装置としては、例えば、励起光としてのレーザ光を、反射鏡の頂部側から入射させて励起光入射面と蛍光放射面を同一にした蛍光板に照射して蛍光体を励起させ、これにより蛍光体から発せられる蛍光を反射鏡によって反射して出射する構成のものが知られている（例えば特許文献１参照。）。
また、青領域の波長範囲の光と蛍光とを混色させて擬似白色光を得る技術が知られている。
【先行技術文献】
【特許文献】
【０００４】
【特許文献１】特開２００５−１５００４１号公報
【発明の概要】
【発明が解決しようとする課題】
【０００５】
而して、上記の蛍光光源装置においては、青領域の波長範囲の光である励起光としてのレーザ光と、蛍光体からの蛍光とが混色されて白色光が出射される。しかしながら、このような蛍光光源装置を例えば一般照明などの照明用の光源として用いる場合には、レーザ光が外部に放射されるため危険であり、安全上の問題があった。
【０００６】
本発明は、以上のような事情に基づいてなされたものであって、必要な安全性を確保しつつ、白色光を照射することのできる蛍光光源装置および照明装置を提供することを目的とする。
【課題を解決するための手段】
【０００７】
本発明の蛍光光源装置は、レーザ光を励起光として放射する励起光源と、当該励起光源からのレーザ光を受けてレーザ光入射側に蛍光を発する蛍光体と、当該蛍光体から放射された蛍光を反射する凹面反射鏡と、当該凹面反射鏡で反射された光を透過する窓部材とを具備した蛍光光源装置において、
前記レーザ光に青色光を混合する青色混合機構を備えており、前記凹面反射鏡および前記窓部材の少なくとも一方が前記レーザ光の波長領域の光を遮断する光遮断特性を有し、前記蛍光体の励起光入射面が、前記レーザ光に混合される青色光を反射すると共に拡散する特性を有することを特徴とする。
【０００９】
さらにまた、本発明の蛍光光源装置においては、前記蛍光体の励起光入射側に、前記レーザ光に混合される青色光を反射するレーザ光透過性フィルタが設けられ、且つ、当該レーザ光透過性フィルタと前記凹面反射鏡との間に前記レーザ光に混合される青色光を拡散する青色光拡散部材が設けられた構成とされていることが好ましい。
【００１０】
さらにまた、本発明の蛍光光源装置においては、前記窓部材は、前記レーザ光の波長領域の光を遮断する光遮断特性を有する光学膜を有するものであることが好ましい。
【００１１】
さらにまた、本発明の蛍光光源装置においては、前記凹面反射鏡は、前記レーザ光の波長領域の光を遮断する光遮断特性を有する光学膜を有する構成とされていることが好ましい。
【００１２】
本発明の照明装置は、上記の蛍光光源装置を備えてなることを特徴とする。
【発明の効果】
【００１３】
本発明の蛍光光源装置によれば、蛍光体を励起するレーザ光を外部に放射させることなく、青色混合機構による青色光と蛍光体からの蛍光とを混合させることにより白色光を得ることができる。
また、レーザ光が外部に放射されないので、一般照明等にも利用可能な安全性の高い蛍光光源装置を提供することができる。
【図面の簡単な説明】
【００１４】
【図１】本発明の蛍光光源装置の一例における構成を概略的に示す正面図である。
【図２】図１におけるＡ−Ａ線断面図である。
【図３】図１に示す蛍光光源装置の一部を示す拡大断面図である。
【図４】本発明の蛍光光源装置の他の例における光学系の構成を概略的に示す説明図である。
【図５】本発明の蛍光光源装置を用いた照明装置の一例における光学系の構成を概略的に示す説明図である。
【発明を実施するための形態】
【００１５】
以下、本発明の実施の形態について詳細に説明する。
図１は、本発明の蛍光光源装置の一例における構成の概略を示す正面図である。図２は、図１におけるＡ−Ａ線断面図である。図３は、図１に示す蛍光光源装置の一部を示す拡大断面図である。
この蛍光光源装置は、励起光源１０からの励起光としてのレーザ光を受けてレーザ光入射側に蛍光を発する蛍光体１５を備えている。蛍光体１５は、例えばセリウム付活のＹＡＧ蛍光体（ピークの発光波長：５５０ｎｍ付近）よりなる蛍光板により構成されており、筒状の蛍光体保持部材２０によって保持されている。蛍光体１５の保持構造については後述する。
【００１６】
蛍光体保持部材２０は、例えばアルミニウムまたはアルミニウム合金などの熱伝導性材料よりなり、円筒状の基体部分（リム）２１と、この基体部分２１の内周面から蛍光体保持部材２０の中心軸Ｃに向かって延びる、蛍光体１５の排熱用伝熱路を構成する複数の導熱部分（スポーク）２２とを有する。
各々の導熱部分２２は、例えば、蛍光体保持部材２０の中心軸（基体部分１１の中心軸）Ｃに沿って延びる平板状の導熱板２３により構成されている。この例においては、２枚の導熱板２３が蛍光体保持部材２０の中心軸Ｃを対称軸とする軸対称位置に配置されている。各導熱板２３は、径方向における内端部が互いに接合されており、蛍光体保持部材２０の中心軸Ｃ上において例えば柱状の蛍光体保持部２３ａを構成している。また、各導熱板２３の径方向における外端部は、基体部分２１の内周面に一体に接合されて熱的に接続されている。なお、蛍光体保持部材２０は、基体部分２１を形成する材料と、導熱部分２２を形成する各導熱板２３を接合して一体化されたものとされているが、例えば鋳造等により一体成型したものであってもよい。
【００１７】
導熱板２３の厚みおよび軸方向の長さ寸法は、導熱板２３それ自体による光損失の程度を小さく抑制しながら、一定以上の排熱量（伝熱量）が得られるよう設定することができる。例えば、導熱板２３の厚みは、２ｍｍ以上５ｍｍ以下の大きさとされていることが好ましく、また、導熱板２３の軸方向の長さ寸法は、７〜２０ｍｍの範囲内の大きさとされていることが好ましい。これにより、蛍光体１５の温度上昇に伴う温度消光によって蛍光体１５から発せられる蛍光の光量が低下することを回避することができる。
【００１８】
蛍光体保持部２３ａの一側面には、例えば銅（Ｃｕ）とモリブデン（Ｍｏ）との焼結体により構成された蛍光体支持基板１７が設けられ、この蛍光体支持基板１７の一面上に蛍光体１５が設けられている。蛍光体保持部材２０の一側面と蛍光体支持基板１７の他面、並びに、一面が励起光入射面（蛍光放射面）１６とされた蛍光体１５の他面と蛍光体支持基板１７の一面は、例えばＳｎ−Ａｇ−Ｃｕ合金などのハンダ（不図示）によって互いに接合されて熱的に接続されている。
【００１９】
蛍光体保持部材２０の一端には、蛍光体１５から放射された蛍光を反射する凹面反射鏡３０を保持する反射鏡保持部材４０が設けられている。反射鏡保持部材４０は、蛍光体保持部材２０の中心軸Ｃに沿って延びる円筒状部４１と、この円筒状部４１の他端に形成された内方フランジ部４２とを有する。反射鏡保持部材４０は、内方フランジ部４２の外面が蛍光体保持部材２０の一端面に対接された状態で、蛍光体保持部材２０と一体に設けられている。
【００２０】
凹面反射鏡３０は、その反射面３１が蛍光体１５の励起光入射面１６と対向した状態で、開口端面が内方フランジ部４２の平坦な内面に対接されて、配置されている。凹面反射鏡３０としては、例えば楕円面鏡あるいは放物面鏡を用いることができる。凹面反射鏡３０の光軸ＯM は、蛍光体保持部材２０の中心軸Ｃ上に位置されており、凹面反射鏡３０の焦点（楕円面鏡である場合は、第一焦点）は、蛍光体１５の励起光入射面１６上に位置されている。ここに、内方フランジ部４２の内面は、反射鏡位置規定面ＮS として設定されている。蛍光体１５の励起光入射面１６と、反射鏡位置規定面ＮS との軸方向の離間距離は、例えば２０〜７５ｍｍの範囲内の大きさとされている。
凹面反射鏡３０の中央部には、光導入用開口部３２が形成されており、この光導入用開口部３２には、集光レンズ３５が設けられている。集光レンズ３５は、光軸が蛍光体保持部材２０の中心軸Ｃに一致し、焦点が蛍光体１５の励起光入射面１６上に位置された状態で配置されている。
【００２１】
凹面反射鏡３０は、励起光源１０からのレーザ光の波長領域の光を遮断する光遮断特性を有する光学膜を基材の内面、または、外面に有するものであることが好ましい。
凹面反射鏡３０は、例えば、レーザ光の波長領域の光を吸収する膜が、基材の反射面３１に形成されている。さらに、レーザ光の波長領域の光を透過し、蛍光を反射するように設計された光学膜としての多層膜を基材の表面に蒸着したものにより構成されている。基材としては、例えば、ＡｌやＮｉなどの金属、硝子、プラスチックなどを例示することができる。
尚、上記例では、凹面反射鏡３０の内面にレーザ光の波長領域の光を遮断するまたは吸収する膜を形成する構成のものを示したが、レーザ光の波長領域の光を反射しない硝子やプラスチックの基材の場合には、基材裏面にレーザ光の波長領域の光を吸収する吸収層を設けることもできる。
【００２２】
凹面反射鏡３０の背面側には、放熱部材４５が設けられている。放熱部材４５は、蛍光体保持部材２０の中心軸Ｃに沿って延びる筒状部４６と、この筒状部４６の外周面に放射状に設けられた複数の板状の放熱フィン４７とを有する。各放熱フィン４７の内側面は、蛍光体保持部材２０の中心軸Ｃを中心とする円柱状空間の外周縁に沿って配置されている。放熱部材４５は、各放熱フィン４７の先端面は凹面反射鏡３０の背面に当接した状態で、先端部が反射鏡保持部材４０によって保持固定されている。
放熱部材４５における筒状部４６の他端側開口部には、コリメータレンズ１２がその光軸が蛍光体保持部材２０の中心軸Ｃに一致する状態で設けられている。
【００２３】
また、放熱部材４５における筒状部４６の一端側開口部には、レーザ光を励起光として放射する励起光源１０が設けられている。励起光源１０は、例えば発振波長が４４０〜４５５ｎｍのレーザ光を放射する半導体レーザ素子（ＬＤ素子）１１を備えたレーザ光源により構成されている。半導体レーザ素子１１は、光軸が蛍光体保持部材２０の中心軸Ｃに一致する状態で、放熱部材４５の筒状部４６に保持固定されている。
【００２４】
蛍光体保持部材２０における他端側開口端面には、円板状の窓部材２８が収容されて配置される凹所よりなる窓部材保持部２４が形成されている。窓部材２８は、その外周面と窓部材保持部２４の内周面との間に形成された間隙に注入された接着剤（図示せず）によって、外周面が全周にわたって蛍光体保持部材２０に対して接合されている。接着剤としては、例えば耐熱性を有するセラミック接着剤を用いることができる。更に、接着剤が硬化されてなる接着剤層の表面が例えばシリコーン樹脂でシーリングされた構成とされていてもよい。
【００２５】
窓部材２８は、励起光源からのレーザ光の波長領域の光を遮断する光遮断特性を有する光学膜を有するものであることが好ましい。
窓部材２８は、例えば、レーザ光の波長領域の光を反射するように設計された光学膜としての多層膜を基材の表面に蒸着したものにより構成されている。基材としては、例えば、蛍光領域の透過率の高い白板硝子や耐光処理を施したプラスチックなどを例示することができる。
【００２６】
而して、上記の蛍光光源装置においては、励起光源１０からのレーザ光（以下、「ＬＤ光」ともいう。）に、白色光を形成するための青色光を混合する青色混合機構５０を備えている。
青色混合機構５０は、青色ＬＥＤ光源５１と、青色ＬＥＤ光源５１からの光を、励起光源からのＬＤ光に合成するためのダイクロイックミラー５５とを備えている。
【００２７】
青色ＬＥＤ光源５１は、ＬＥＤ基板５２と、このＬＥＤ基板５２の一面に設けられた、ピーク波長が４６０〜４８５ｎｍの波長範囲内にある光（以下、「ＬＥＤ光」ともいう。）を放射するＬＥＤ発光素子５３と、ＬＥＤ基板５２の他面に設けられた放熱基板５４と、ＬＥＤ発光素子５３から放射されたＬＥＤ光を平行光化するコリメータレンズ５８とを備えている。
青色ＬＥＤ光源５１は、放熱部材４５を構成する一部の放熱フィン４７に形成された光源保持部（図示せず）において、ＬＥＤ発光素子５３の光軸が励起光源１０の光軸に対してほぼ直交して延びる姿勢で、放熱基板５４が放熱フィン４７に熱的に接続されて配置されている。
【００２８】
ダイクロイックミラー５５は、例えば４６０〜４９５ｎｍの波長範囲の光を反射し、その他の波長範囲の光を透過する波長選択特性、すなわち励起光源からのＬＤ光を透過し、青色ＬＥＤ光源５１からのＬＥＤ光を反射する波長選択特性を有する。
このダイクロイックミラー５５は、放熱部材４５を構成する各放熱フィン４７の内側面によって形成された円柱状空間部において、ＬＤ光入射面およびＬＤ光出射面（ＬＥＤ光入射面）が励起光源１０の光軸に対して傾斜した状態で配置されている。
【００２９】
また、蛍光体１５の励起光入射側には、励起光源１０からのＬＤ光に混合される青色光（ＬＥＤ光）を反射するレーザ光透過性フィルタ６０が設けられ、且つ、レーザ光透過性フィルタ６０と凹面反射鏡３０との間に、青色光（ＬＥＤ光）を拡散反射する青色光拡散部材６５が配置されている。
具体的には、蛍光体１５の励起光入射面１６側に、ＬＤ光、ＬＥＤ光および蛍光体から発せられる蛍光について光透過性を有する板状の基材６８が、スペーサ部材６９を介して蛍光体１５の励起光入射面１６と平行に延びるよう配置されており、この基材６８の一面に青色光拡散部材６５が設けられていると共に基材６８の他面にレーザ光透過性フィルタ６０が設けられている。レーザ光透過性フィルタ６０および青色光拡散部材６５は、蛍光体１５と励起光源１０との間の光路上に位置されている。
【００３０】
基材６８を構成する材料としては、例えば、石英硝子やホウケイ酸硝子、または、アルミナ等の透光性のセラミックスなどを用いることができる。
スペーサ部材６９を構成する材料としては、例えば厚み５０μｍのステンレス鋼などの金属材料を用いることができる。
【００３１】
レーザ光透過性フィルタ６０は、例えば４５５〜５００ｎｍの波長範囲の光を反射し、他の波長範囲の光を透過する、すなわち青色ＬＥＤ光源５１からのＬＥＤ光を反射し、励起光源１０からのＬＤ光を透過する波長選択特性を有するものである。レーザ光透過性フィルタ６０は、例えばＺｒＯ2 ＋ＳｉＯ2 、または、Ｔａ2 Ｏ5 ＋ＳｉＯ2 等の誘電体多層膜により構成されている。
【００３２】
青色光拡散部材６５は、励起光源１０からのＬＤ光については透過性を有するものであって、例えば、部材表面にμｍレベルの微細な凹凸面を形成したものや曲面により構成されている。
【００３３】
上記構成の蛍光光源装置においては、励起光源１０からのＬＤ光ＢLD は、コリメータレンズ１２によって平行化されてダイクロイックミラー５５に入射される。なお、図２においては、ＬＤ光ＢLD の光線追跡線を実線で示している。
ダイクロイックミラー５５は、上述したように、レーザ光について透過する波長選択特性を有することから、励起光源１０からのＬＤ光ＢLD はダイクロイックミラー５５を透過して集光レンズ３５に入射される。集光レンズ３５に入射されたＬＤ光ＢLD は当該集光レンズ３５によって集光されて蛍光体１５の励起光入射面１６に照射される。このとき、図３に示すように、ＬＤ光（実線で示す光線追跡線）ＢLD は、青色光拡散部材６５、基材６８およびレーザ光透過性フィルタ６０を透過する。
励起光としてのＬＤ光ＢLD が蛍光体１５に照射されることにより蛍光体１５における蛍光物質が励起されて励起光入射面１６から蛍光（二点鎖線で示す光線追跡線）ＹF が発せられる。蛍光体１５からの蛍光ＹF は、凹面反射鏡３０によって反射される。
【００３４】
一方、青色ＬＥＤ光源５１からのＬＥＤ光（青色光）ＢLED は、コリメータレンズ５８によって平行化されてダイクロイックミラー５５に入射される。なお、図２においては、ＬＥＤ光（青色光）ＢLED の光線追跡線を破線で示している。
ダイクロイックミラー５５は、上述したように、ＬＥＤ光（青色光）ＢLED について反射する波長選択特性を有することから、青色ＬＥＤ光源５１からのＬＥＤ光ＢLED はダイクロイックミラー５５によって蛍光体保持部材２０の中心軸Ｃに沿った方向に反射されて集光レンズ３５に入射される。集光レンズ３５に入射されたＬＥＤ光ＢLED は、当該集光レンズ３５によって集光されて、図３に示すように、青色光拡散部材６５によって拡散反射される。また、青色光拡散部材６５に入射されたＬＥＤ光ＢLED の一部は、青色光拡散部材６５および基材６８を透過するが、当該透過ＬＥＤ光ＴＢLED は、レーザ光透過性フィルタ６０によって反射される。
【００３５】
そして、青色光拡散部材６５によって拡散反射されたＬＥＤ光ＢLED およびレーザ光透過性フィルタ６０によって反射されたＬＥＤ光ＢLED は、凹面反射鏡３０によって反射されて蛍光体１５からの蛍光ＹF と混合されて白色光として窓部材２８を介して照射される。また、励起光源１０からのＬＤ光ＢLD は、蛍光体１５の励起に寄与しなかった一部が蛍光体１５によって反射されることになる。然るに、凹面反射鏡３０および窓部材２８の一方または両方がＬＤ光ＢLD を遮断する光遮断特性を有するものであることから、ＬＤ光ＢLD は、凹面反射鏡３０によって吸収され、もしくは、凹面反射鏡３０によって反射されたＬＤ光ＢLD が窓部材２８によって反射されるので、蛍光体１５で反射されたＬＤ光ＢLD が直接的に外部に放射されることが回避される。
【００３６】
一方、励起光としてのＬＤ光ＢLD が照射されることにより蛍光体１５に生じた熱は、蛍光体保持部材２０における各々の導熱板２３を介して基体部分２１に伝熱され、蛍光体保持部材２０の外周面が放熱面として機能して放熱されると共に放熱部材４５によって外部に放熱される。
【００３７】
而して、上記の蛍光光源装置によれば、蛍光体１５を励起するレーザ光を外部に放射させることなく、青色ＬＥＤ光源５１による青色光であるＬＥＤ光ＢLED と蛍光体１５からの蛍光ＹF とを混合させることにより白色光を得ることができるので、蛍光光源装置は、必要な安全性が確保されながら、白色光を照射することのできるものとなる。従って、例えば、一般照明用の照明装置の光源として利用可能な安全性の高い蛍光光源装置を提供することができる。
【００３８】
以上、本発明の実施の形態について説明したが、本発明は上記の実施の形態に限定されるものではなく、種々の変更を加えることができる。
図４は、本発明の蛍光光源装置の他の例における光学系の構成を概略的に示す説明図である。
この蛍光光源装置においては、青色混色機構５０を構成する青色ＬＥＤ光源５１がその光軸が蛍光体保持部材２０の中心軸Ｃと一致する状態で配置され、励起光源１０がその光軸が蛍光体保持部材２０の中心軸Ｃに対して直交して延びる姿勢で、配置された構成とされている。
ダイクロイックミラー５５としては、例えば４６０〜４９０ｎｍの波長範囲の光を透過し、その他の波長範囲の光を反射する波長選択特性、すなわち青色ＬＥＤ光源５１からのＬＥＤ光ＢLED を透過し、励起光源１０からのＬＤ光ＢLD を反射する波長選択特性を有するものが用いられている。
【００３９】
また、本発明の蛍光光源装置を構成する青色混色機構は、複数個の青色ＬＥＤ光源を備えた構成とされていてもよい。
【００４０】
本発明の蛍光光源装置は、上述したように、一般照明用の照明装置、例えばスポット光を照射するライトアップ用の照明装置などの光源として使用することができる。図５は、本発明の蛍光光源装置を用いた照明装置の一例における光学系の構成を概略的に示す説明図である。
この照明装置においては、上記の蛍光光源装置から照射される白色光（青色光と蛍光とによる擬似白色光）が光ファイバ７０に入射され、例えば光ファイバ７０から出射されるスポット光を照射する構成とされている。
【００４１】
この蛍光光源装置における励起光源１０は、互いに同一の発振波長のレーザ光を出射する複数のレーザ光源１０ａと、各々のレーザ光源１０ａに対応する複数の反射ミラー１３とにより構成されている。各々のレーザ光源１０ａは、例えば発振波長が４４０〜４５５ｎｍのレーザ光（ＬＤ光ＢLD ）を放射する半導体レーザ素子（ＬＤ素子）１１と、コリメータレンズ１２とを備えている。各々の反射ミラー１３は、各々のレーザ光源１０ａからのＬＤ光ＢLD をレーザ光源１０ａの光軸に直交する方向に照射幅を狭めて反射するものであって、ＬＤ光入射面がレーザ光源１０ａの光軸に対して傾斜した状態で、レーザ光源１０ａの光軸方向に互いに変位した位置に（階段状に）配置されている。
また、励起光源１０からのＬＤ光ＢLD を蛍光体保持部材２０の中心軸Ｃに沿った方向に反射する第二の反射ミラー１４が配置されている。
【００４２】
この蛍光光源装置における凹面反射鏡３０は、例えば楕円面鏡により構成されており、この楕円面鏡の第一焦点に蛍光体１５の励起光入射面１６が配置されていると共に第二焦点に光ファイバ７０の入射端面７１が配置されている。
【００４３】
このような照明装置によれば、蛍光光源装置から照射される白色光は、青色ＬＥＤ光源５１によるＬＥＤ光ＢLED と蛍光体１５から発せられる蛍光ＹF とが混合されて得られるものであるので、高い安全性が得られ、例えば一般照明用の照明装置として利用することができるようになる。
【符号の説明】
【００４４】
１０    励起光源
１０ａ  レーザ光源
１１    半導体レーザ素子
１２    コリメータレンズ
１３    反射ミラー
１４    第二の反射ミラー
１５    蛍光体
１６    励起光入射面（蛍光放射面）
１７    蛍光体支持基板
２０    蛍光体保持部材
２１    基体部分（リム）
２２    導熱部分（スポーク）
２３    導熱板
２３ａ  蛍光体保持部
２４    窓部材保持部
２８    窓部材
３０    凹面反射鏡
３１    反射面
３２    光導入用開口部
３５    集光レンズ
４０    反射鏡保持部材
４１    円筒状部
４２    内方フランジ部
４５    放熱部材
４６    筒状部
４７    放熱フィン
５０    青色混合機構
５１    青色ＬＥＤ光源
５２    ＬＥＤ基板
５３    ＬＥＤ発光素子
５４    放熱基板
５５    ダイクロイックミラー
５８    コリメータレンズ
６０    レーザ光透過性フィルタ
６５    青色光拡散部材
６８    基材
６９    スペーサ部材
７０    光ファイバ
７１    入射端面
Ｃ      蛍光体保持部材の中心軸
ＮS     反射鏡位置規定面
ＯM     凹面反射鏡の光軸
【図１】
0006398791.tif 000002
【図２】
0006398791.tif 000003
【図３】
0006398791.tif 000004
【図４】
0006398791.tif 000005
【図５】
0006398791.tif 000006